(57)【要約】【課題】温度検出部を画素領域の外側に配置した場合でも、画素領域の温度変化を迅速かつ正確に検出することのできる電気光学装置、および当該電気光学装置を備えた電子機器を提供すること。【解決手段】電気光学装置１００において、電気光学パネル１００ｐには、画素領域１００ｂの外側に温度検出部４５が配置されており、電気光学パネル１００ｐを覆う金属フレーム６０の上フレーム６２と、電気光学パネル１００ｐにおいて温度検出部４５が配置されている部分との間には、シリコーン樹脂製あるいは金属製の熱伝達材８１が配置されている。【選択図】図３
2009169329.tif 000002
【特許請求の範囲】
【請求項１】
複数の画素が配列された画素領域を備えた電気光学パネルと、前記画素領域を表示光の出射側に向けて露出させた状態で前記電気光学パネルを覆う金属フレームと、を有する電気光学装置において、
前記電気光学パネル上において前記画素領域の外側には、前記金属フレームに対して所定の隙間を介して対向する位置に前記画素領域の温度を検出するための温度検出部が配置され、
前記電気光学パネルにおいて前記温度検出部が配置された部分と前記金属フレームとの間には、空気層に比して熱伝導率が高い熱伝達材が介在していることを特徴とする電気光学装置。
【請求項２】
前記温度検出部での検出結果に基づいて、前記画素に対する駆動条件を補正する温度補正部を備えていることを特徴とする請求項１に記載の電気光学装置。
【請求項３】
前記電気光学パネル上には前記複数の画素を駆動するための駆動回路部が構成され、
前記温度検出部は、前記駆動回路部の形成領域内に形成されていることを特徴とする請求項１または２に記載の電気光学装置。
【請求項４】
前記駆動回路部は、前記電気光学パネル上に実装された駆動用ＩＣに構成されており、
前記熱伝達材は、前記駆動用ＩＣと前記金属フレームとの間に介在していることを特徴とする請求項３に記載の電気光学装置。
【請求項５】
前記熱伝達材は、前記電気光学パネルにおいて前記温度検出部が配置された部分と前記金属フレームとの間に挿入されていることを特徴とする請求項１乃至４の何れか一項に記載の電気光学装置。
【請求項６】
前記熱伝達材は、前記金属フレームの一部を加工してなる突出部によって前記電気光学パネルにおいて前記温度検出部が配置された部分に押圧されていることを特徴とする請求項５に記載の電気光学装置。
【請求項７】
前記突出部はバネ性を有しており、
当該突出部は、前記熱伝達材に弾性をもって接していることを特徴とする請求項６に記載の電気光学装置。
【請求項８】
前記熱伝達材は、前記金属フレームの一部を加工してなる突出部であり、
当該突出部は、前記電気光学パネルにおいて前記温度検出部が配置された部分に接していることを特徴とする請求項１乃至４の何れか一項に記載の電気光学装置。
【請求項９】
前記突出部はバネ性を有しており、
当該突出部は、前記電気光学パネルにおいて前記温度検出部が配置された部分に弾性をもって接していることを特徴とする請求項８に記載の電気光学装置。
【請求項１０】
前記電気光学パネルは、前記複数の画素の各々に画素トランジスタおよび画素電極が形成された素子基板と、該素子基板に対向配置された対向基板と、前記素子基板と前記対向基板との間に保持された液晶とを備えていることを特徴とする請求項１乃至９の何れか一項に記載の電気光学装置。
【請求項１１】
前記電気光学パネルは、前記複数の画素の各々に画素トランジスタおよび有機エレクトロルミネッセンス素子が形成された素子基板を備えていることを特徴とする請求項１乃至９の何れか一項に記載の電気光学装置。
【請求項１２】
請求項１乃至１１の何れか一項に記載の電気光学装置を備えていることを特徴とする電子機器。
【発明の詳細な説明】
【技術分野】
【０００１】
本発明は、電気光学パネル上に温度検出部を備えた電気光学装置、および当該電気光学装置を備えた電子機器に関するものである。
【背景技術】
【０００２】
液晶装置、有機エレクトロルミネッセンス装置、プラズマ表示装置などといった電気光学装置はいずれも、複数の画素が配列された画素領域を備えた電気光学パネルを備えており、複数の画素の各々を駆動することにより画像を表示する。かかる電気光学パネルには、通常、薄い基板が用いられているため、その機械的な強度を補うことを目的に、電気光学パネルは金属フレームで覆われた状態で用いられる。
【０００３】
このような電気光学装置のうち、液晶装置では、バックライト装置から照射される光の影響などを受けて画素領域の温度が上昇し、複数の画素の各々における光変調条件が変動することがある。また、有機エレクトロルミネッセンス装置やプラズマ表示装置では、画素自身の発熱によって画素領域の温度が上昇し、複数の画素の各々における光変調条件が変動することがある。
【０００４】
そこで、電気光学パネル上において画素領域の外側に画素領域の温度を検出するための温度検出部を配置し、温度検出部での温度検出結果に基づいて、画素に対する駆動条件を補正することが提案されている（例えば、特許文献１、２参照）。
【特許文献１】特開２００３−２４８２０９号公報
【特許文献２】特開２００５−２５８４６５号公報
【発明の開示】
【発明が解決しようとする課題】
【０００５】
しかしながら、温度検出部を画素領域の外側に配置すると、図１２に示すように、画素領域が温度上昇したときでも、それが温度検出部に伝わるまでに時間がかかるという問題点がある。その結果、駆動条件を補正するタイミングが遅れ、その間、品位の高い画像を表示できないことになる。
【０００６】
以上の問題点に鑑みて、本発明の課題は、温度検出部を画素領域の外側に配置した場合でも、画素領域の温度変化を迅速かつ正確に検出することのできる電気光学装置、および当該電気光学装置を備えた電子機器を提供することにある。
【課題を解決するための手段】
【０００７】
上記課題を解決するために、本発明では、複数の画素が配列された画素領域を備えた電気光学パネルと、前記画素領域を表示光の出射側に向けて露出させた状態で前記電気光学パネルを覆う金属フレームと、を有する電気光学装置において、前記電気光学パネル上において前記画素領域の外側には、前記金属フレームに対して所定の隙間を介して対向する位置に前記画素領域の温度を検出するための温度検出部が配置され、前記電気光学パネルにおいて前記温度検出部が配置された部分と前記金属フレームとの間には、空気層に比して熱伝導率が高い熱伝達材が介在していることを特徴とする。
【０００８】
本発明では、電気光学パネル上において画素領域の外側に配置した温度検出部によって画素領域の温度を検出する。かかる温度検出を行なうにあたって、本発明では、電気光学パネルにおいて温度検出部が配置された部分と金属フレームとの間には、空気層に比して熱伝導率が高い熱伝達材が介在しているため、画素領域に温度変化があったとき、かかる温度変化は、電気光学パネルに用いた基板を介して温度検出部に伝わるよりも速く、金属フレームおよび熱伝達材を介して温度検出部に伝わる。従って、画素領域の外側に温度検出部を配置した場合でも、画素領域の温度変化が迅速に伝わる。それ故、温度変化に対応して駆動条件を補正するなどの場合でも、補正のタイミングが遅れることがないので、品位の高い画像を常に表示することができる。また、画素領域と温度検出部との間での温度差が小さいので、画素領域の温度を正確に検出することができるため、駆動条件を正確に温度補正することができる。さらに、金属フレームは、電気光学パネルから浮いた部分が熱伝達材を介して電気光学パネルに支持された状態になるため、金属フレームにおいて電気光学パネルから浮いた部分を補強することもできる。
【０００９】
本発明において、前記温度検出部での検出結果に基づいて、前記画素に対する駆動条件を補正する温度補正部を備えていることが好ましい。
【００１０】
本発明において、前記電気光学パネル上には前記複数の画素を駆動するための駆動回路部が構成され、前記温度検出部は、前記駆動回路部の形成領域内に形成されていることが好ましい。駆動回路の周辺では、電気光学パネルの外部との電気的な接続が行なわれているので、温度検出部での検出結果を電気光学パネルの外部に出力するように構成するのが容易である。また、温度検出部が駆動回路の形成領域内に形成されている場合には、駆動条件の補正を行なうための温度補正部を駆動回路の内部に構成するのも容易である。
【００１１】
本発明において、前記駆動回路部は、前記電気光学パネル上に実装された駆動用ＩＣに構成されており、前記熱伝達材は、前記駆動用ＩＣと前記金属フレームとの間に介在していることが好ましい。かかる構成は、例えば、電気光学パネルに画素トランジスタを形成する際、かかる画素トランジスタの製造工程をそのまま利用して駆動回路部を構成できない場合、例えば、画素トランジスタとして、能動層がアモルファスシリコンからなる薄膜トランジスタを用いた場合に有効である。
【００１２】
本発明において、前記熱伝達材は、前記電気光学パネルにおいて前記温度検出部が配置された部分と前記金属フレームとの間に挿入されている構成を採用することができる。
【００１３】
この場合、前記熱伝達材は、前記金属フレームの一部を加工してなる突出部によって前記電気光学パネルにおいて前記温度検出部が配置された部分に押圧されていることが好ましい。このように構成すると、前記熱伝達材は、前記電気光学パネルの側に密接する状態となるため、熱伝達性が向上する。また、突出部を熱伝達材を介して電気光学パネルの側に当接させれば、金属フレームを補強することになる。
【００１４】
この場合、前記突出部はバネ性を有しており、当該突出部は、前記熱伝達材に弾性をもって接していることが好ましい。このように構成すると、金属フレームと熱伝達材との間の熱伝導がスムーズになるとともに、熱伝達材と電気光学パネルとの間の熱伝導もスムーズとなる。
【００１５】
本発明において、前記熱伝達材は、前記熱伝達材は、前記金属フレームの一部を加工してなる突出部であり、当該突出部は前記電気光学パネルにおいて前記温度検出部が配置された部分に接していることが好ましい。このように構成すると、部材を追加することなく、画素領域の温度変化を温度検出部に迅速に伝達することができる。また、突出部を電気光学パネルの側に当接させれば、金属フレームを補強することになる。
【００１６】
この場合、前記突出部はバネ性を有しており、前記電気光学パネルにおいて前記温度検出部が配置された部分に弾性をもって接していることが好ましい。このような構成によれば、金属フレームと温度検出部との間での熱伝導性を高めることができる。
【００１７】
本発明を適用した電気光学装置は、例えば、液晶装置として構成される。この場合、前記電気光学パネルは、前記複数の画素の各々に画素トランジスタおよび画素電極が形成された素子基板と、該素子基板に対向配置された対向基板と、前記素子基板と前記対向基板との間に保持された液晶とを備えている。
【００１８】
本発明を適用した電気光学装置は、有機エレクトロルミネッセンス装置として構成される場合もある。この場合、前記電気光学パネルは、前記複数の画素の各々に画素トランジスタおよび有機エレクトロルミネッセンス素子が形成された素子基板を備えている。
【００１９】
本発明を適用した電気光学装置は、例えばパーソナルコンピュータ、携帯電話機、情報携帯端末等の電子機器に用いることができる。
【発明を実施するための最良の形態】
【００２０】
以下に、図面を参照して本発明について説明する。なお、以下の説明で参照する図においては、各層や各部材を図面上で認識可能な程度の大きさとするため、各層や各部材毎に縮尺を異ならしめてある。
【００２１】
［実施の形態１］
図１（ａ）、（ｂ）は各々、本発明の実施の形態１に係る電気光学装置の外観を模式的に示す斜視図、および電気光学パネルが金属フレームで覆われた状態を模式的に示す斜視図である。図２は、図１に示す電気光学装置の構成を模式的に示す分解斜視図である。図３（ａ）、（ｂ）は各々、図１に示す電気光学装置の断面を模式的に示す断面図、点線で囲んだ端部を拡大して示す拡大断面図、および画素領域と温度検出部の温度変化を示すグラフである。
【００２２】
図１（ａ）、（ｂ）、図２および図３（ａ）において、本形態の電気光学装置１００は、下ケース５１と上ケース５２との間に、電気光学パネル１００ｐが、ステンレス製などの金属フレーム６０で覆われた状態で収納されており、上ケース５２には、電気光学パネル１００ｐの表示光の出射側の面を露出させる開口部５２ａが形成されている。電気光学パネル１００ｐは、透過型あるいは半透過反射型の液晶パネルであり、下ケース５１には、ＬＥＤなどの光源７１、導光板７２、光散乱板（図示せず）などを備えたバックライト装置７０が収納されている。また、電気光学パネル１００ｐの表示光の出射側およびその反対側には、偏光板や位相差板などの光学部材（図示せず）が配置されている。なお、バックライト装置７０では、光源７１として冷陰極管などが用いられることがあり、バックライト装置７０は、有機エレクトロルミネセンス装置からなる面光源装置によって構成される場合もある。
【００２３】
金属フレーム６０は、電気光学パネル１００ｐに対する補強や電磁シールドなどの機能を担っており、電気光学パネル１００ｐの下側（表示光の出射側とは反対側）に位置する下フレーム６１と、電気光学パネル１００ｐの上側（表示光の出射側）に位置する上フレーム６２とから構成されている。下フレーム６１の下板部分には、バックライト装置７０から出射された光を電気光学パネル１００ｐに入射させる開口部６１ａが形成されており、上フレーム６２の上板部分６２０には、電気光学パネルからから出射された光を出射するための開口部６２ａが形成されている。
【００２４】
電気光学パネル１００ｐは、所定の隙間を介して素子基板１０と対向基板２０とがシール材３５によって貼り合わされた構造になっており、シール材３５で囲まれた領域には液晶３０が保持されている。液晶３０は、例えば一種または数種のネマティック液晶を混合したものなどからなる。電気光学パネル１００ｐにおいて、シール材３５で囲まれた領域は、後述する複数の画素が配列された画素領域１００ｂになっている。図示を省略するが、画素領域１００ｂでは、素子基板１０の側にＩＴＯ（Indium Tin Oxide）膜などからなる画素電極や、薄膜トランジスタからなる画素トランジスタなどが形成され、対向基板２０の側には、ＩＴＯ膜からなる対向電極や、カラーフィルタなどが形成されている。シール材３５は、光硬化樹脂や熱硬化性樹脂などからなる接着剤であり、両基板間の距離を所定値とするためのグラスファイバー、あるいはガラスビーズ等のギャップ材が配合されている。
【００２５】
素子基板１０は、対向基板２０よりもサイズが大きく、対向基板２０の端部から張り出す張り出し領域１１を備えている。張り出し領域１１には、後述するデータ線駆動回路および走査線駆動回路を備えた駆動回路部４０が構成されている。本形態では、画素トランジスタとして、アモルファスシリコン膜を能動層として用いた薄膜トランジスタが用いられていることから、駆動回路部４０を構成するにあたって、素子基板１０の張り出し領域１１にＣＯＧ実装された駆動用ＩＣ４１が用いられ、かかる駆動用ＩＣ４１に、データ線駆動回路および走査線駆動回路が構成されている。また、素子基板１０の張り出し領域１１において、駆動用ＩＣ４１に対峙する基板縁には、フレキシブル基板４４が接続されたパッド領域が構成されている。なお、駆動回路部４０を構成するにあたって、本形態では、データ線駆動回路および走査線駆動回路が１つの駆動用ＩＣ４１に構成されているが、データ線駆動回路および走査線駆動回路が各々別の駆動用ＩＣに構成されている場合があり、この場合、張り出し領域１１には複数の駆動用ＩＣが実施されることになる。
【００２６】
（電気光学パネルの構成）
図４は、本発明を適用した電気光学装置の電気的構成を示すブロック図である。図４に示すように、電気光学装置１００において、電気光学パネル１００ｐの中央領域は画素領域１００ｂになっており、画素領域１００ｂの内側には、複数本のデータ線１６ａおよび複数本の走査線１３ａが縦横に延びている。また、複数本のデータ線１６ａと複数本の走査線１３ａとの各交点に対応する位置には画素１００ａが構成されおり、複数の画素１００ａの各々には、画素スイッチング素子としての薄膜トランジスタ１５および画素電極１９が形成されている。薄膜トランジスタ１５のソースにはデータ線１６ａが電気的に接続され、薄膜トランジスタ１５のゲートには走査線１３ａが電気的に接続され、薄膜トランジスタ１５のドレインには画素電極１９が電気的に接続されている。
【００２７】
図３（ａ）、（ｂ）および図４に示すように、素子基板１０において、画素領域１００ｂの外側領域（張り出し領域１１）には、走査線駆動回路４３およびデータ線駆動回路４２が構成された駆動用ＩＣ４１が実装されており、データ線駆動回路４２はデータ線１６ａに電気的に接続しており、画像信号を各データ線１６ａに順次供給する。走査線駆動回路４３は走査線１３ａに電気的に接続しており、走査信号を各走査線１３ａに順次供給する。各画素１００ａにおいて、画素電極１９は、対向基板２０に形成された共通電極と液晶３０を介して対向し、液晶容量１６を構成している。また、各画素１００ａには、液晶容量１６で保持される画像信号がリークするのを防ぐために、液晶容量１６と並列に保持容量１７が付加されている。本形態では、保持容量１７を構成するために、走査線１３ａと並列するように容量線１３ｂが形成されており、かかる容量線１３ｂには共通電位が印加されている。なお、保持容量１７は前段の走査線１３ａとの間に形成される場合もある。
【００２８】
このように構成した電気光学装置１００において、電気光学パネル１００ｐに対しては、フレキシブル基板４４を介して、走査線駆動回路４３にクロック信号が入力され、データ線駆動回路４２には、画像信号やクロック信号が入力される。
【００２９】
（温度補正のための構成）
このように構成した電気光学装置１００においては、バックライト装置７０から照射される光の影響などを受けて画素領域１００ｂの温度が上昇し、複数の画素１００ａの各々における光変調条件が変動することがある。そこで、本形態では、電気光学パネル１００ｐに、温度センサ素子からなる温度検出部４５を配置し、温度検出部４５での温度検出結果に基づいて、画素１００ａに対する駆動条件を補正する。このような温度補正を行なうにあたって、本形態では、素子基板１０の張り出し領域１１（画素領域１００ｂの外側）に実装された駆動用ＩＣ４１（駆動回路部４０）に温度検出部４５が形成されており、かかる温度検出部４５での検出結果は、温度検出回路４６を介して温度補正部４９に出力される。ここで、温度補正部４９は、例えば、各温度における最適な制御信号のテーブルを持っており、入力された温度情報に対応する制御信号を取り出し、その制御信号によって画像信号を補正したうえで画像信号をデータ線駆動回路４２に供給する。
【００３０】
また、本形態では、温度検出部４５を内蔵する駆動用ＩＣ４１は、金属フレーム６０を構成する上フレーム６２の上板部分６２０に対して所定の隙間を介して対向しており、本形態では、駆動用ＩＣ４１の上面（能動面とは反対側）と上フレーム６２の上板部分６２０との間には、空気層に比して熱伝導率が高い熱伝達材８１が挿入されている。かかる熱伝達材８１として、本形態では、シート状あるいはテープ状のシリコーン樹脂あるいは金属製の熱伝達材が挿入されている。すなわち、電気光学パネル１００ｐにおいて張り出し部１１は、対向基板２０がない分、一段低い箇所にあるため、上フレーム６２の上板部分６２０は、張り出し領域１１から浮いた状態にあるが、上フレーム６２において浮いている部分と駆動用ＩＣ４１との間に熱伝達材８１が挿入されている。
【００３１】
（本形態の主な効果）
以上説明したように、本形態の電気光学装置１００では、電気光学パネル１００ｐには画素領域１００ｂの外側に温度検出部４５が配置されているため、温度検出部４５によって画素領域１００ｂの温度を検出することができる。
【００３２】
また、本形態では、画素領域１００ｂの温度検出を行なうにあたって、電気光学パネル１００ｐにおいて温度検出部４５が配置された駆動用ＩＣ４１と、金属フレーム６０に用いた上フレーム６２との間には、空気層に比して熱伝導率が高い熱伝達材８１が介在しているため、画素領域１００ｂに温度変化があったとき、かかる温度変化は、電気光学パネル１００ｐに用いた素子基板１０を介して温度検出部４５に伝わるよりも速く、金属フレーム６０および熱伝達材８１を介して温度検出部４５に伝わる。従って、画素領域１００ｂの外側に温度検出部４５を配置した場合でも、図３（ｃ）に示すように、画素領域１００ｂの温度変化が迅速に伝わる。それ故、温度変化に対応して駆動条件を補正した際、補正のタイミングが遅れることがないので、品位の高い画像を常に表示することができる。また、画素領域１００ｂと温度検出部４５との間での温度差が小さいので、画素領域１００ｂの温度を正確に検出することができるため、駆動条件を正確に温度補正することができる。
【００３３】
さらに、上フレーム６２の上板部分６２０は、張り出し領域１１から浮いた状態にあるが、上フレーム６２において浮いている部分と駆動用ＩＣ４１との間に熱伝達材８１が挿入されているため、上フレーム６２の上板部分６２０は、熱伝達材８１を介して電気光学パネル１００ｐに支持されている。それ故、上フレーム６２の上板部分６２０を補強することができる。
【００３４】
［実施の形態２］
図５（ａ）、（ｂ）は各々、本発明の実施の形態２に係る電気光学装置の要部の構成を模式的に示す斜視図および断面図である。図６（ａ）、（ｂ）は各々、本発明の実施の形態２の変形例に係る電気光学装置の要部の構成を模式的に示す斜視図および断面図である。なお、本形態の基本的な構成は、実施の形態１と同様であるため、共通する部分には同一の符号を付してそれらの説明を省略する。
【００３５】
実施の形態１では、駆動用ＩＣ４１と上フレーム６２の上板部分６２０との間に熱伝達材８１を挿入した構成を採用したが、本形態では、図５（ａ）、（ｂ）に示すように、金属フレーム６０に用いた上フレーム６２の上板部分６２０に切り起こし加工を行なって、上板部分６２０の一部を、基端側のみで上板部分６２０に繋がった状態で下方に折れ曲がった突出部６２１としてあり、かかる突出部６２１は熱伝達材８１に当接している。また、突出部６２１は、基端側のみで上板部分６２０に繋がっているため、バネ性を有している。従って、熱伝達材８１は、上フレーム６２の突出部６２１によって駆動用ＩＣ４１に弾性をもって押圧されている。その他の構成は、実施の形態１と同様であるため、説明を省略する。
【００３６】
本形態では、熱伝達材８１は、上フレーム６２の突出部６２１によって駆動用ＩＣ４１に弾性を押圧されているため、上フレーム６２（金属フレーム６０）と熱伝達材８１との間の熱伝導がスムーズであるとともに、熱伝達材８１と電気光学パネル１００ｐに実装した駆動用ＩＣ４１との間の熱伝導もスムーズである。それ故、画素領域１００ｂの外側に温度検出部４５を配置した場合でも、画素領域１００ｂの温度変化が迅速に伝わるとともに、画素領域１００ｂと温度検出部４５との間での温度差が小さいので、画素領域１００ｂの温度を正確に検出することができる。
【００３７】
なお、図５（ａ）、（ｂ）に示す形態では、上フレーム６２の上板部分６２０に切り起こし加工を行なって、基端側のみで上板部分６２０に繋がった突出部６２１を形成したが、図６（ａ）、（ｂ）に示すように、上フレーム６２の上板部分６２０にプレス加工を行なって、両端が上板部分６２０に繋がった状態で下方に折れ曲がった突出部６２２を形成してもよい。このように構成した場合も、熱伝達材８１は、上フレーム６２の突出部６２１によって駆動用ＩＣ４１に押圧されているため、上フレーム６２（金属フレーム６０）と熱伝達材８１との間の熱伝導がスムーズであるとともに、熱伝達材８１と電気光学パネル１００ｐに実装した駆動用ＩＣ４１との間の熱伝導もスムーズである。従って、画素領域１００ｂの温度変化を迅速かつ正確に検出することができる。また、突出部６２２は、両端が上板部分６２０に繋がっているので、上フレーム６２（金属フレーム６０）と熱伝達材８１との間の熱伝導がよりスムーズである。
【００３８】
［実施の形態３］
図７（ａ）、（ｂ）は各々、本発明の実施の形態３に係る電気光学装置の要部の構成を模式的に示す斜視図および断面図である。図８（ａ）、（ｂ）は各々、本発明の実施の形態３の変形例に係る電気光学装置の要部の構成を模式的に示す斜視図および断面図である。なお、本形態の基本的な構成は、実施の形態１と同様であるため、共通する部分には同一の符号を付してそれらの説明を省略する。
【００３９】
実施の形態１、２では、駆動用ＩＣ４１と上フレーム６２の上板部分６２０との間に熱伝達材８１を挿入した構成を採用したが、本形態では、図７（ａ）、（ｂ）に示すように、駆動用ＩＣ４１に金属フレーム６０が直接、当接している。すなわち、本形態では、金属フレーム６０に用いた上フレーム６２の上板部分６２０に切り起こし加工を行なって、上板部分６２０の一部を、基端側のみで上板部分６２０に繋がった状態で下方に折れ曲がった突出部６２３としてあり、かかる突出部６２３は、それ自身が熱伝達材として、駆動用ＩＣ４１の上面に当接している。また、突出部６２３は、基端側のみで上板部分６２０に繋がっているため、バネ性を有している。従って、突出部６２３は、駆動用ＩＣ４１に弾性をもって当接している。その他の構成は、実施の形態１と同様であるため、説明を省略する。
【００４０】
本形態では、上フレーム６２の上板部分６２０に形成した突出部６２３が熱伝達材として、駆動用ＩＣ４１の上面に当接している。このため、部材を追加することなく、熱伝達性を高めることができ、画素領域１００ｂの温度変化を温度検出部４５に迅速かつ正確に伝達することができる。また、突出部６２３はバネ性を有しているため、金属フレーム６０と温度検出部４５との間での熱伝導性が高い。
【００４１】
なお、図７（ａ）、（ｂ）に示す形態では、上フレーム６２の上板部分６２０に切り起こし加工を行なって、基端側のみで上板部分６２０に繋がった突出部６２３を形成したが、図８（ａ）、（ｂ）に示すように、上フレーム６２の上板部分６２０にプレス加工を行なって、両端が上板部分６２０に繋がった状態で下方に折れ曲がった突出部６２４を形成してもよい。このように構成した場合も、上フレーム６２の上板部分６２０に形成した突出部６２４が、熱伝達材として駆動用ＩＣ４１の上面に当接しているため、部材を追加することなく、画素領域１００ｂの温度変化を温度検出部４５に迅速かつ正確に伝達することができる。また、突出部６２４は、両端が上板部分６２０に繋がっているので、上フレーム６２（金属フレーム６０）と熱伝達材８１との間の熱伝導がよりスムーズである。
【００４２】
［実施の形態４］
図９は、本発明の実施の形態４に係る電気光学装置の要部の構成を模式的に示す斜視図および断面図である。実施の形態１〜３では、駆動用ＩＣ４１に温度検出部４５を構成したため、駆動用ＩＣ４１と金属フレーム６０との間に熱伝達材８１を配置したが、図９に示すように、温度検出部４５が素子基板１０上に直接、構成されている場合に本発明を適用してもよい。すなわち、電気光学パネル１００ｐにおいて温度検出部４５が配置されている部分と、上フレーム６２との間に熱伝達材８１を配置してもよい。
【００４３】
また、画素トランジスタとしてポリシリコンを能動層として用いた場合、駆動回路部４０は、画素トランジスタの製造工程を利用して素子基板１０上に形成される。このような場合も、温度検出部４５を駆動回路部４０に構成すると、図９に示すように表されるので、電気光学パネル１００ｐにおいて温度検出部４５が配置されている部分（駆動回路部４０）と、上フレーム６２との間に熱伝達材８１を配置すればよい。
【００４４】
なお、図９には、実施の形態１のように、電気光学パネル１００ｐにおいて温度検出部４５が配置されている部分と、上フレーム６２との間に熱伝達材８１を挿入した構成を示したが、図５および図６を参照して説明したように、上フレーム６２に形成した突出部６２１、６２２によって、電気光学パネル１００ｐにおいて温度検出部４５が配置されている部分に熱伝達材８１を押し付けた構成や、図７および図８を参照して説明したように、上フレーム６２に形成した突出部６２３、６２４自身を、熱伝達材８１として電気光学パネル１００ｐにおいて温度検出部４５が配置されている部分に当接させた構成を採用してもよい。
【００４５】
［有機エレクトロルミネッセンス装置への適用例］
上記実施の形態では、本発明を液晶装置に適用した例を説明したが、図１０に示す有機エレクトロルミネッセンス装置に本発明を適用してもよい。なお、以下の説明では、実施の形態１〜４との対応が分りやすいように、対応する部分には、可能な限り、同一に符号を付して説明する。
【００４６】
図１０は、本発明を適用した電気光学装置（有機エレクトロルミネッセンス装置）の電気的な構成を示す等価回路図である。図１０に示す電気光学装置１００は、有機エレクトロルミネッセンス装置であり、電気光学パネル１００ｐを構成する素子基板１０上には、複数の走査線１３ａと、走査線１３ａに対して交差する方向に延びる複数のデータ線１６ａと、走査線１３ａに対して並列して延在する複数の電源線１３ｅとを有している。また、素子基板１０において、矩形形状の画素領域１００ｂには複数の画素１００ａがマトリクス状に配列されている。データ線１６ａにはデータ線駆動回路４２が接続され、走査線１３ａには走査線駆動回路４３が接続されている。複数の画素１００ａには、走査線１３ａを介して走査信号がゲート電極に供給されるスイッチング用の薄膜トランジスタ１５ｂと、このスイッチング用の薄膜トランジスタ１５ｂを介してデータ線１６ａから供給される画素信号を保持する保持容量１７と、保持容量１７によって保持された画素信号がゲート電極に供給される駆動用の薄膜トランジスタ１５ｃと、この薄膜トランジスタ１５ｃを介して電源線１３ｅに電気的に接続したときに電源線１３ｅから駆動電流が流れ込む画素電極１９（陽極層）と、この画素電極１９と陰極層との間に有機機能層が挟まれた有機エレクトロルミネッセンス素子１４とが形成されている。
【００４７】
かかる構成によれば、走査線１３ａが駆動されてスイッチング用の薄膜トランジスタ１５ｂがオンになると、そのときのデータ線１６ａの電位が保持容量１７に保持され、保持容量１７が保持する電荷に応じて、駆動用の薄膜トランジスタ１５ｃのオン・オフ状態が決まる。そして、駆動用の薄膜トランジスタ１５ｃのチャネルを介して、電源線１３ｅから画素電極１９に電流が流れ、さらに有機機能層を介して対極層に電流が流れる。その結果、有機エレクトロルミネッセンス素子１４は、これを流れる電流量に応じて発光する。従って、有機エレクトロルミネッセンス装置の場合、バックライト装置を必要としない。但し、電気光学パネル１００ｐの保護を目的に、電気光学パネル１００ｐは、図１（ｂ）に示すように、金属フレーム６０で覆われた状態で使用される。
【００４８】
このように構成した電気光学装置１００において、複数の画素１００ａは各々、赤色（Ｒ）、緑色（Ｇ）、青色（Ｂ）に対応し、赤色（Ｒ）、緑色（Ｇ）、青色（Ｂ）の３つの画素１００ａによって１つのピクセルを構成している。かかる色は、有機エレクトロルミネッセンス素子１４から出射される色によって規定される。また、有機エレクトロルミネッセンス素子１４が、白色光、または赤色（Ｒ）、緑色（Ｇ）、青色（Ｂ）の混合色光が出射される場合、画素１００ａが赤色（Ｒ）、緑色（Ｇ）、青色（Ｂ）のいずれに対応するかは、素子基板１０に対向配置された対向基板（図示せず）に形成されたカラーフィルタ層によって規定される。なお、図１０に示す構成では、電源線１３ｅは走査線１３ａと並列していたが、電源線１３ｅがデータ線１６ａに並列している構成を採用してもよい。また、図１０に示す構成では、電源線１３ｅを利用して保持容量１７を構成していたが、電源線１３ｅとは別に容量線を形成し、かかる容量線によって保持容量１７を構成してもよい。
【００４９】
このように構成した電気光学装置１００においては、有機エレクトロルミネッセンス素子１４に通電した際の熱の影響などを受けて画素領域１００ｂの温度が上昇し、複数の画素１００ａの各々における光変調条件が変動することがある。そこで、本形態でも、実施の形態１〜４と同様、電気光学パネル１００ｐに、温度センサ素子からなる温度検出部４５を配置し、温度検出部４５での温度検出結果に基づいて、画素１００ａに対する駆動条件を補正する。このような温度補正を行なうにあたって、本形態では、素子基板１０に温度検出部４５が形成されており、かかる温度検出部４５での検出結果は、温度検出回路４６を介して温度補正部４９に出力される。ここで、温度補正部４９は、例えば、各温度における最適な制御信号のテーブルを持っており、入力された温度情報に対応する制御信号を取り出し、その制御信号によって画像信号を補正したうえで画像信号をデータ線駆動回路４２に供給する。
【００５０】
このように構成した電気光学装置１００でも、図３、図５〜図９を参照して説明したように、駆電気光学パネル１００ｐにおいて温度検出部４５が配置されている部分と、上フレーム６２との間に熱伝達材８１を挿入した構成や、上フレーム６２に形成した突出部６２３、６２４自身を熱伝達材として、電気光学パネル１００ｐにおいて温度検出部４５が配置されている部分に当接させた構成を採用すれば、画素領域１００ｂに温度変化があったとき、かかる温度変化は、金属フレーム６０および熱伝達材を介して温度検出部４５に迅速かつ正確に伝わることになる。
【００５１】
［電子機器への搭載例］
次に、上述した実施形態に係る電気光学装置１００を適用した電子機器について説明する。図１１（ａ）に、電気光学装置１００を備えたモバイル型のパーソナルコンピュータの構成を示す。パーソナルコンピュータ２０００は、表示ユニットとしての電気光学装置１００と本体部２０１０を備える。本体部２０１０には、電源スイッチ２００１及びキーボード２００２が設けられている。図１１（ｂ）に、電気光学装置１００を備えた携帯電話機の構成を示す。携帯電話機３０００は、複数の操作ボタン３００１及びスクロールボタン３００２、並びに表示ユニットとしての電気光学装置１００を備える。スクロールボタン３００２を操作することによって、電気光学装置１００に表示される画面がスクロールされる。図１１（ｃ）に、電気光学装置１００を適用した情報携帯端末（ＰＤＡ：Personal Digital Assistants）の構成を示す。情報携帯端末４０００は、複数の操作ボタン４００１及び電源スイッチ４００２、並びに表示ユニットとしての電気光学装置１００を備える。電源スイッチ４００２を操作すると、住所録やスケジュール帳といった各種の情報が電気光学装置１００に表示される。
【００５２】
なお、電気光学装置１００が適用される電子機器としては、図１１に示すものの他、デジタルスチルカメラ、液晶テレビ、ビューファインダ型、モニタ直視型のビデオテープレコーダ、カーナビゲーション装置、ページャ、電子手帳、電卓、ワードプロセッサ、ワークステーション、テレビ電話、ＰＯＳ端末、タッチパネルを備えた機器等などが挙げられる。そして、これらの各種電子機器の表示部として、前述した電気光学装置１００が適用可能である。
【図面の簡単な説明】
【００５３】
【図１】（ａ）、（ｂ）は各々、本発明の実施の形態１に係る電気光学装置の外観を模式的に示す斜視図、および電気光学パネルが金属フレームで覆われた状態を模式的に示す斜視図である。
【図２】図１に示す電気光学装置の構成を模式的に示す分解斜視図である。
【図３】（ａ）、（ｂ）、（ｃ）は各々、図１に示す電気光学装置の断面を模式的に示す断面図、その端部を拡大して示す拡大断面図、および画素領域と温度検出部の温度変化を示すグラフである。
【図４】本発明を適用した電気光学装置（液晶装置）の電気的構成を示すブロック図である。
【図５】（ａ）、（ｂ）は各々、本発明の実施の形態２に係る電気光学装置の要部の構成を模式的に示す斜視図および断面図である。
【図６】（ａ）、（ｂ）は各々、本発明の実施の形態２の変形例に係る電気光学装置の要部の構成を模式的に示す斜視図および断面図である。
【図７】（ａ）、（ｂ）は各々、本発明の実施の形態３に係る電気光学装置の要部の構成を模式的に示す斜視図および断面図である。
【図８】（ａ）、（ｂ）は各々、本発明の実施の形態３の変形例に係る電気光学装置の要部の構成を模式的に示す斜視図および断面図である。
【図９】本発明の実施の形態４に係る電気光学装置の要部の構成を模式的に示す断面図である。
【図１０】本発明を適用した電気光学装置（有機エレクトロルミネッセンス装置）の電気的構成を示すブロック図である。
【図１１】本発明を適用した電気光学装置を備えた電子機器の説明図である。
【図１２】従来の電気光学装置における画素領域と温度検出部の温度変化を示すグラフである。
【符号の説明】
【００５４】
１０・・素子基板、４０・・駆動回路部、４１・・駆動用ＩＣ、４５・・温度検出部、４６・・温度検出回路、４９・・温度補正部、６０・・金属フレーム、６２・・上フレーム、８１・・熱伝達材、１００・・電気光学装置、１００ａ・・画素、１００ｂ・・画素領域、１００ｐ・・電気光学パネル、６２１、６２２・・突出部、６２３、６２４・・熱伝達材としての突出部
【図１】
2009169329.tif 000003
【図２】
2009169329.tif 000004
【図３】
2009169329.tif 000005
【図４】
2009169329.tif 000006
【図５】
2009169329.tif 000007
【図６】
2009169329.tif 000008
【図７】
2009169329.tif 000009
【図８】
2009169329.tif 000010
【図９】
2009169329.tif 000011
【図１０】
2009169329.tif 000012
【図１１】
2009169329.tif 000013
【図１２】
2009169329.tif 000014